(57)【要約】      （修正有）【課題】簡単な構成で、移動体にスムーズなスライド移動を行わせるスライド式電子部品を提供する。【解決手段】底部１１と底部１１の両側から立設する一対の側壁１３とを有することで収納部１２を形成したケース１０と、収納部１２内にスライド移動自在に収納される移動体５０と、移動体５０の移動によって検出出力を変化させる検出手段（摺動子６０）と、収納部１２を覆うカバー８０とを具備する。側壁１３の先端辺１３ａ近傍の対向する内側面部分に傾斜面１５を形成し、傾斜面１５と移動体５０の側面との間に隙間Ｂを形成する。これによってケース１０を成形した際に両側壁１３が対向する面側（内側）に向かって反ったとしても、隙間Ｂの幅が狭くなるだけで、移動体５０の側面に傾斜面１５が当接することはなく、移動体５０のスムーズなスライド移動を維持する。【選択図】図３
2016122736.tif 000002
【特許請求の範囲】
【請求項１】
底部と底部の両側から立設して平行に延びる一対の側壁とを有することで収納部を形成してなるケースと、
前記ケースの収納部内にスライド移動自在に収納される移動体と、
前記移動体のスライド移動によって検出出力を変化させる検出手段と、
前記ケースの収納部を覆うカバーとを具備し、
前記ケースの一対の側壁の先端辺近傍の対向する内側面部分の少なくとも一方に、先端辺方向に向かって両内側面間の幅寸法を大きくしていく傾斜面を形成し、これによって前記ケースの傾斜面と前記移動体の側面との間に隙間を形成したことを特徴とするスライド式電子部品。
【請求項２】
請求項１に記載のスライド式電子部品であって、
前記ケースの一対の側壁の内側面部分の前記傾斜面に連続する根元側部分は、前記移動体の両側面に摺接する摺接面であることを特徴とするスライド式電子部品。
【請求項３】
請求項１又は２に記載のスライド式電子部品であって、
前記ケースと移動体は成形樹脂製であり、前記カバーは金属製であり、
前記カバーを前記ケースに直接当接したことを特徴とするスライド式電子部品。
【発明の詳細な説明】
【技術分野】
【０００１】
本発明は、スライド式可変抵抗器やスライド式スイッチ等のスライド式電子部品に関するものである。
【背景技術】
【０００２】
従来、スライド式電子部品の中には、例えば特許文献１の図１０に示すように、樹脂製の基板（５１０）上に、断面コ字状に折り曲げた金属板製のケース（５６０）を被せると同時に、ケース（５６０）と基板（５１０）の間に形成される空間（ａ）内にスライド自在に移動体（５３０）を収納し、移動体（５３０）をスライド移動することで移動体（５３０）に取り付けた摺動子（５４０）を基板（５１０）に設けた摺接パターン（５１３）に摺接させてその検出出力を変化させる構造のものがあった。しかしながら上記構造のスライド式電子部品において、ケース（５６０）は、金属板製であって、板金加工によってコ字状に折り曲げることによって製造されるので、その上面部（５６１）に対して側壁部（５６３）を折り曲げる際に、折り曲げ誤差が生じ易い。このため側壁部（５６３）の高さ寸法と、両側壁部（５６３）間の幅寸法の何れにも誤差が生じ易い。このため移動体（５３０）をスライド移動する際に、がたつきが生じたり、スライドさせる力にスライド位置に応じてムラが生じたりする恐れがあった。
【０００３】
上記問題を解決するため、特許文献１の図１に示すスライド式電子部品（１−１）においては、底部（５１）と一対の側壁（５３）とを有する樹脂製のケース（５０）の内底面に回路パターン（８１）を形成し、その内部に前記回路パターン（８１）に摺接する摺動子（４５）を取り付けた移動体（１０）をスライド自在に収納し、さらにケース（５０）の上面を断面コ字状の金属板製のカバー（１００）で覆う構造としている。このように構成すれば、成形によって一対の側壁（５３）が形成されるため、両側壁（５３）間の幅寸法が比較的正確になり、また金属板製のカバー（１００）を両側壁（５３）の上端辺に当接するので、高さ方向の寸法も正確になり、これらのことから移動体（１０）をスライド移動する際に、がたつきが生じたり、スライドさせる力にスライド位置に応じてムラが生じたりする恐れを防止できる。
【先行技術文献】
【特許文献】
【０００４】
【特許文献１】特開２００７−９６０５９号公報
【発明の概要】
【発明が解決しようとする課題】
【０００５】
しかしながら、特許文献１の図１に示すスライド式電子部品（１−１）においても、以下のような問題点があった。即ち、特許文献１の図１に示すスライド式電子部品（１−１）において、ケース（５０）を成形して硬化した際、両側壁（５３）の上部の部分が、わずかではあるが、相互に近づく方向に反る（傾く）場合があった。この現象について詳細に検討したところ、この現象は、ケース成形用の金型内に形成したキャビティー内に、溶融合成樹脂を充填し、硬化させる際、金型の両側壁（５３）となるキャビティーよりも外側（外気に近い側）に位置する金型部分が先に冷え、内側部分が後まで冷えず、従って両側壁（５３）となる充填溶融樹脂の外側面側部分から先に硬化を始め、対向する内面側部分が最後に硬化するためであることを見い出した。即ち、先に硬化する両側壁（５３）の両外側の部分は、硬化による収縮の際に硬化していない周囲の溶融樹脂を導入できるが、最後に硬化する両側壁（５３）の対向面側の部分は周囲から溶融樹脂を導入できないまま硬化・収縮する。このため上述のように、両側壁（５３）の上部の部分が相互に近づく方向に反ってしまうのである。そしてこの反りが生じると、両側壁（５３）間の間隔が狭くなるので、移動体（１０）を移動する際に、抵抗が生じ、スムーズな移動体（１０）の移動ができなくなる恐れがある。特許文献１のスライド式電子部品（１−１）においては、カバー（１００）に設けたスリット状の被係合穴（１１１）に側壁（５３）の上端辺に設けた係合突起（５７）を挿入することで上記反りを強制的に是正して上記問題を解消しているが、そのために金属板製のカバー（１００）に被係合穴（１１１）を加工しなければならず、その製造工程が煩雑になってしまう。
【０００６】
また上記スライド式電子部品（１−１）においては、移動体（１０）とカバー（１００）の間に摺動板（３７）等を設置することでスムーズな移動体（１０）のスライド移動を図っているが、一方で部品点数が増えてしまう。
【０００７】
本発明は上述の点に鑑みてなされたものでありその目的は、簡単な構成で、移動体にスムーズなスライド移動を行わせることができるスライド式電子部品を提供することにある。
【課題を解決するための手段】
【０００８】
本発明にかかるスライド式電子部品は、底部と底部の両側から立設して平行に延びる一対の側壁とを有することで収納部を形成してなるケースと、前記ケースの収納部内にスライド移動自在に収納される移動体と、前記移動体のスライド移動によって検出出力を変化させる検出手段と、前記ケースの収納部を覆うカバーとを具備し、前記ケースの一対の側壁の先端辺近傍の対向する内側面部分の少なくとも一方に、先端辺方向に向かって両内側面間の幅寸法を大きくしていく傾斜面を形成し、これによって前記ケースの傾斜面と前記移動体の側面との間に隙間を形成したことを特徴としている。
これによって、例えケースを成形した際にその両側壁が対向する面側（内側）に向かって反ったとしても、ケースの傾斜面と移動体の側面との間に形成される隙間の幅が狭くなるだけで、ケースの傾斜面が移動体の側面に当接することはなく、従って移動体のスムーズなスライド移動を維持することができる。
【０００９】
また本発明は、前記ケースの一対の側壁の内側面部分の前記傾斜面に連続する根元側部分が、前記移動体の両側面に摺接する摺接面であることを特徴としている。
ケース成形時に、反りが顕著に生じるのは側壁の上部の部分なので、反りの影響がほとんどない側壁の根元部分を移動体との摺接面とすることで、移動体のスムーズなスライド移動を維持することができる。また摺接面を、傾斜面を除く側壁の一部分のみとすることでケースと移動体間の摺接面積を小さくして摺動抵抗を小さくしたので、この点からも移動体のスムーズなスライド移動を図ることができる。
【００１０】
また本発明は、前記ケースと移動体が成形樹脂製であり、前記カバーが金属製であり、前記カバーを前記ケースに直接当接したことを特徴としている。
成形によってケースの側壁が形成されるため、側壁の高さ寸法を精度良く出すことができる。そしてこの側壁の上端辺に金属板製のカバーを直接当接するので、移動体収納空間の高さ寸法を正確に出すことができ、これによっても移動体のスムーズなスライド移動を図ることができる。またケース上に直接カバーを取り付けるので、部品点数が増加することもない。
【発明の効果】
【００１１】
本発明によれば、簡単な構成で、ケース内に収納した移動体をスムーズにスライド移動させることができる。
【図面の簡単な説明】
【００１２】
【図１】スライド式電子部品１の斜視図である。
【図２】スライド式電子部品１の分解斜視図である。
【図３】スライド式電子部品１の横断面図（図１のＡ−Ａ断面図）である。
【図４】フレキシブル回路基板３０及び端子板４０を示す斜視図である。
【図５】ケース１０の収納部１２内への移動体５０の収納方法説明図である。
【図６】ケース１０の側壁１３部分（図５のＥ部分）の拡大断面図である。
【発明を実施するための形態】
【００１３】
以下、本発明の実施形態を図面を参照して詳細に説明する。図１は、本発明を用いて構成されたスライド式電子部品１の斜視図、図２はスライド式電子部品１の分解斜視図、図３はスライド式電子部品１の横断面図（図１のＡ−Ａ断面図）である。これらの図に示すようにスライド式電子部品１は、収納部１２を有するケース１０と、前記ケース１０の収納部１２内にスライド移動自在に収納される移動体５０と、前記ケース１０の収納部１２を覆うカバー８０とを具備して構成されている。移動体５０の下面には、摺動子６０が取り付けられている。なお以下の説明において、「上」とはケース１０からカバー８０側を見る方向をいい、「下」とはその反対方向をいうものとする。また移動体５０の移動方向をスライド方向というものとする。
【００１４】
ケース１０は、上面が解放された長尺の矩形箱型であって、底部１１と、底部１１の左右両側から立設してスライド方向（水平方向）Ａに沿うように平行に延びる一対の側壁１３とを有することで、両側壁１３間に、下記する移動体５０の本体部５１を収納する収納部１２を形成している。またケース１０の底部１１の上面（収納部１２の内底面）には回路基板（以下「フレキシブル回路基板」という）３０がその上面を収納部１２内に露出するようにインサート成形されている。フレキシブル回路基板３０は、可撓性を有する合成樹脂フィルムの上面にスライド方向Ａに向けて検出手段である所定の回路パターン３１，３３，３５を設けて構成されている。またケース１０のスライド方向Ａの一方の端部からは、フレキシブル回路基板３０の下記する端子接続パターン３７に一端が接続された端子板４０が突出し、その先端側部分が下方に向くように折り曲げられている。また側壁１３の外側面の下部には、スライド方向Ａに沿って複数の突出部２３が設けられ、各突出部２３の間を係止部ガイド溝２５としている。
【００１５】
そして、ケース１０の一対の側壁１３の先端辺（上端辺）１３ａ近傍の対向する内側面部分には、先端辺１３ａ方向に向かって両内側面間の幅寸法を徐々に大きくしていく傾斜面１５が形成されている。傾斜面１５は、側壁１３のスライド方向Ａの全長にわたるように形成されている。傾斜面１５はこの例では平面状に形成されている。また一対の側壁１３の対向する内側面部分の、傾斜面１５に連続する根元側部分は、スライド方向Ａに向かって延びる平面帯状の摺接面１７となっている。また一対の側壁１３の対向する内側面の、前記摺接面１７の下部には、摺接面１７よりも内側に突出させることで、スライド方向Ａに向かって延びる直線状の段部を形成し、この段部の上面を摺接部載置部１９としている。
【００１６】
図４は、ケース１０にインサート成形されるフレキシブル回路基板３０及び端子板４０を示す斜視図である。同図に示すように、フレキシブル回路基板３０は、長尺帯状に形成され、その上面の長手方向に向かって３本の直線状の回路パターン３１，３３，３５を形成し、一方の端部に前記各回路パターン３１，３３，３５に接続する端子接続パターン３７を形成して構成されている。回路パターン３１は抵抗値の小さい導体パターンからなる摺接パターンであり、回路パターン３３は抵抗値の大きい抵抗体パターンからなる摺接パターンであり、回路パターン３５は抵抗値の小さい導体パターンからなる連結用パターン（回路パターン３３の端部を端子接続パターン３７側に引き出すための回路パターン）である。これら回路パターン３１，３３，３５と端子接続パターン３７は、検出手段の一部を構成する。一方端子板４０は細帯状の金属板であり、その一方側を端子当接部４１、他方側を端子部４３としている。なおケース１０の成形前は、端子板４０は折り曲げられていない。そして各端子板４０の端子当接部４１をフレキシブル回路基板３０の端子接続パターン３７に当接したものを、図示しない金型内に設置し、金型内に形成されるキャビティーに溶融成形樹脂を圧入して硬化させ、金型を取り外し、さらにケース１０から突出する前記端子板４０の端子部４３を下方向に略直角に折り曲げれば、図２に示すケース１０が完成する。これによってフレキシブル回路基板３０の下面側に底部１１が形成され、フレキシブル回路基板３０のスライド方向Ａに沿う両側辺上に側壁１３が形成され、また端子板４０の主として端子当接部４１の上にこれを覆う端子押え部２１が形成される。
【００１７】
移動体５０は合成樹脂の成形品であり、略矩形状の本体部５１と、本体部５１の上面中央から突出するレバー５３とを具備して構成されている。本体部５１の左右両側面の前後（４隅近傍）には、それぞれ幅方向及び上下方向に少しずつ突出する略矩形状の４つの摺接部５５が形成されている。本体部５１の下面には、図３に示すように、検出手段を構成する弾性金属板製の摺動子６０の平板状の基部６１が固定されている。基部６１は、本体部５１の下面から突出する図示しない小突起を基部６１に設けた図示しない小孔に挿入し、小突起の先端を熱カシメする等して固定される。基部６１の１辺からは２本の摺動冊子６３が平行に突出し、これら摺動冊子６３の根元近傍部分を折り返して基部６１の下部に位置するように構成されている。なお、基部６１の下面から突出している小突起からなる保護突部５７（図３参照）は、摺動子６０を取り付けた移動体５０を、ケース１０内に組み込む前の、保管や移動等している際に、摺動子６０が他の部材に当接して変形することを防止するために設けられている。
【００１８】
カバー８０は、金属板をその下面が解放された箱型に折り曲げることによって、前記ケース１０の収納部１２を覆う形状に形成されている。即ちカバー８０は、前記ケース１０の収納部１２を覆う寸法形状の略矩形状の上面部８１の左右両側辺（長手方向に沿う両側辺）からそれぞれ突出する側面部８３を略垂直下方に折り曲げ、これら一対の側面部８３の下端辺の前記ケース１０の各係止部ガイド溝２５に対向する位置からそれぞれ係止部８５を突出し、一方前記上面部８１の中央にスライド方向Ａに向かって延びる矩形状のレバー挿通孔８７を設けて構成されている。ここで各係止部８５の下端辺からは、細帯状の折り曲げ部８６が突出している。
【００１９】
そしてこのスライド式可変抵抗器１を組み立てるには、図５に示すように、移動体５０の本体部５１をケース１０の収納部１２内に収納する。その際、移動体５０の４つの摺接部５５の下面をケース１０の摺接部載置部１９上に載置し、同時に移動体５０の下面に取り付けている摺動子６０の各摺動冊子６３をそれぞれ回路パターン３１，３３に当接する。本体部５１の収納部１２への収納は、側壁１３に傾斜面１５が設けられているので、容易に行える。そしてケース１０の上に、図３に示すように、カバー８０を被せる。その際、カバー８０の両側面部８３がケース１０の両側壁１３の外側面を覆い、またカバー８０の各係止部８５がケース１０の各係止部ガイド溝２５にガイドされながら挿入される。そしてカバー８０の各折り曲げ部８６をケース１０の底部１１の下面側に折り曲げれば、ケース１０とカバー８０が一体に固定されてスライド式電子部品１が完成する。なお上記組立手順はその一例であり、他の各種異なる組立手順を用いて組み立てても良いことはいうまでもない。
【００２０】
このとき図３に示すように、移動体５０は摺動子６０の弾発力によって上方向に押し上げられ、４つの摺接部５５の上面がカバー８０の上面部８１の下面に当接している（摺接部５５の下面は摺接部載置部１９から若干浮いている）。またカバー８０の側面部８３の下端辺はケース１０の突出部２３の上端辺には当接しておらず、ケース１０の一対の側壁１３の先端辺１３ａにカバー８０の上面部８１の下面を当接させている。これによってケース１０の収納部１２とカバー８０の上面部８１によって形成される移動体収納空間Ｃの高さ寸法（フレキシブル回路基板３０の上面からカバー８０の上面部８１の下面までの寸法）を規定している。即ち、成形によってケース１０の側壁１３が形成されるため、側壁１３の高さ寸法を精度良くすることができる。そしてこの両側壁１３の上端辺１３ａに金属板製のカバー８０（その上面部８１）を当接するので、移動体収納空間Ｃの高さ寸法を正確に出すことができる。
【００２１】
さらに上述のように、ケース１０の一対の側壁１３の先端辺１３ａ近傍の対向する内側面部分には、先端辺１３ａ方向に向かって両内側面間の幅寸法を大きくしていく傾斜面１５を形成している。このため、ケース１０の傾斜面１５と移動体５０の摺接部５５の左右外側の側面との間には隙間Ｂが形成され、前記摺接部５５の左右外側の側面が当接しているのは、ケース１０の傾斜面１５に連続するその根元側部分に形成した摺接面１７のみとなる。
【００２２】
そして、移動体５０のレバー５３をスライド方向Ａに向けて移動すれば、摺動子６０の一対の摺動冊子６３が回路パターン３１，３３上を摺動するので、各端子板４０間の抵抗値が変化する。
【００２３】
ところで、上記「発明が解決しようとする課題」の欄でも述べたように、ケース１０を成形して硬化した際、一対の側壁１３の上部の部分が、図６の点線で示すように、相互に近づく方向に反る（傾く）場合がある。この現象は上述のように、ケース成形用の金型内に形成したキャビティー内に、溶融合成樹脂を充填し、硬化させる際、金型の両側壁１３となるキャビティーよりも外側（外気に近い側、図６のＤ１側）に位置する金型部分が先に冷え、内側部分（図６のＤ２側）が後まで冷えず、従って両側壁１３となる充填溶融樹脂の外側面側部分から先に硬化を始め、対向する内面側部分が最後に硬化するためである。即ち、先に硬化する両側壁１３の両外側の部分（図６のＥ１部分）は、硬化による収縮の際に硬化していない周囲の溶融樹脂を導入できるが、最後に硬化する両側壁１３の対向面側の部分（図６のＥ２部分）は周囲から溶融樹脂を導入できないまま硬化・収縮する。このため上述のように、両側壁１３の上部の部分が相互に近づく方向（内側に向かう方向）に反ってしまうのである。この現象は、本実施形態のように、ケース１０の外周４辺の内の対向する一対の側壁１３のみが上方に独立して突出している形状において、顕著である。何故なら、それら側壁１３の両端が、支えられていないからである。そしてこの反りが生じると、両側壁１３間の間隔が狭くなるが、本ケース１０の場合、反りがもっとも顕著に生じる両側壁１３の先端側部分に傾斜面１５を設けているので、図６に点線で示すように反りが生じたとしても、図３に示すケース１０の傾斜面１５と移動体５０の摺接部５５の左右外側の側面との間に形成される隙間Ｂの幅が狭くなるだけで、ケース１０の傾斜面１５が移動体５０の摺接部５５の側面に当接することはなく、従って移動体５０のスムーズなスライド移動が阻害されることはない。
【００２４】
またケース１０の成形時に、反りが顕著に生じるのは側壁１３の上部の部分なので、反りの影響がほとんどない側壁１３の根元部分を移動体５０との摺接面１７とすることで、移動体５０のスムーズなスライド移動を維持することができる。また摺接面１７を、傾斜面１５を除く側壁１３の一部分のみとしたので、ケース１０と移動体５０間の摺接面積を小さくできて摺動抵抗を小さくでき、この点からも移動体５０のスムーズなスライド移動を図ることができる。また上述のように移動体収納空間Ｃの高さ寸法を正確にすることができるので、これによっても移動体５０のスムーズなスライド移動を図ることができる。
【００２５】
上記実施形態ではスライド移動方向として直線方向を示したが、スライド移動方向は、円弧方向やその他の曲線方向など、直線方向以外の各種方向を含む概念である。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態ではその検出手段として摺動子６０を回路パターン３１，３３に摺接させて抵抗値を変化するように構成したが、回路パターン３１，３３をスイッチパターンで構成しても良く、また摺動子６０と回路パターン３１，３３の組み合わせ以外の各種構造のスライド式可変抵抗器やスライド式スイッチであっても良い。要は移動体のスライド移動によって検出出力を変化させる検出手段であればどのような構造の検出手段であっても良い。また上記例では傾斜面を横断面直線状に形成したが、横断面曲線状に形成する等、他の各種形状であっても良い。また傾斜面は一対の側壁の両者に設ける代わりに、一方の側壁のみに設けても良い。要は、ケースの側壁の先端辺近傍の対向する内側面部分の少なくとも一方に、先端辺方向に向かって両内側面間の幅寸法を大きくしていく傾斜面を形成し、これによってケースの傾斜面と移動体の側面との間に隙間を形成する構造であればどのような構造であっても良い。
【符号の説明】
【００２７】
１  スライド式電子部品
１０  ケース
１１  底部
１２  収納部
１３  側壁
１３ａ  先端辺（上端辺）
１５  傾斜面
１７  摺接面
３０  フレキシブル回路基板（回路基板）
３１，３３，３５  回路パターン（検出手段）
３７  端子接続パターン（検出手段）
４０  端子板
５０  移動体
５１  本体部
５５  摺接部
６０  摺動子（検出手段）
８０  カバー
Ａ  スライド方向
Ｂ  隙間
【図１】
2016122736.tif 000003
【図２】
2016122736.tif 000004
【図３】
2016122736.tif 000005
【図４】
2016122736.tif 000006
【図５】
2016122736.tif 000007
【図６】
2016122736.tif 000008